(57)【要約】【課題】ブロードバンド回線を使用して通報する従来の非常通報装置の場合、インターネット上でデータの改ざん、「なりすまし」により、正規のビル側非常通報装置からの通報でない場合においても、ビル側非常通報装置からの通報と誤認識してしまうという問題があった。又、通報の相手がビル側非常通報装置からの通報だったとしても、ビル管理データやその他の重要データが盗まれるおそれがあった。【解決手段】ビル側に設置されたビル側非常通報装置と監視センター側に設置されたセンター側非常通報装置とを、電話回線とブロードバンド回線とで接続した非常通報装置において、センター側非常通報装置に、ブロードバンド回線を介してビル側非常通報装置からセンター側非常通報装置へ通報すると共に電話回線を介してビル側非常通報装置からの通報が正規なものであるか否か識別、確認する制御手段を備えたものである。【選択図】図１
2007011958.tif 000002
【特許請求の範囲】
【請求項１】
ビル側に設置されたビル側非常通報装置と監視センター側に設置されたセンター側非常通報装置とを、電話回線とブロードバンド回線との２回線で接続した非常通報装置において、上記センター側非常通報装置に、上記ブロードバンド回線を介して上記ビル側非常通報装置から上記センター側非常通報装置へ非常通報すると共に上記電話回線を介して上記ビル側非常通報装置からの通報が正規なものであるか否か識別、確認する制御手段を備えたことを特徴とする非常通報装置。
【請求項２】
上記センター側非常通報装置の制御手段は、上記電話回線に接続された網制御部、上記ブロードバンド回線に接続されたＬＡＮインターフェース、上記ブロードバンド回線からの非常通報を検出する通報検出部、この通報検出部で検出された非常通報が上記ビル側非常通報装置からの正規な通報であるか否かを識別、確認する通報確認部、及びこれらの通報検出部、通報確認部を制御する中央処理部によって構成されたことを特徴とする請求項１記載の非常通報装置。
【請求項３】
上記センター側非常通報装置の制御手段に、上記非常通報が行われる都度、上記電話回線経由で相互に通知し合う暗号鍵を設定すると共にこの暗号鍵を使用して上記ブロードバンド回線からの通報データを暗号化する暗号化部を設けたことを特徴とする請求項１または請求項２記載の非常通報装置。
【発明の詳細な説明】
【技術分野】
【０００１】
この発明は、ビル内に設置したエレベーター・エスカレーター、その他ビル内設備の状態や異常を電話回線、ブロードバンド回線を介して遠隔に監視・制御する非常通報装置に関するものである。
【背景技術】
【０００２】
従来の非常通報装置としては、例えばエレベーター、ビル内設備の状態や異常を、通常は有線電話回線Ｌを使用してセンター側非常通報装置に通報し、有線電話回線Ｌに障害など生じて通報できない場合に、無線電話回線を介して通報するものが開示されている（特許文献１参照）。又、特許文献２には、エレベーターやビル内設備の異常を遠隔地からアナログ電話回線を介して監視、制御するもので、電話回線の異常を送信信号のループ信号レベルによって検出することができるものが開示されている。
【０００３】
【特許文献１】特開平１０−２６１１８２号公報
【特許文献２】特開２００５−８６２５５号公報
【発明の開示】
【発明が解決しようとする課題】
【０００４】
ブロードバンド回線を使用してセンター側非常通報装置へ通報する従来の非常通報装置の場合、インターネット上でデータの改ざん、「なりすまし」により、正規のビル側非常通報装置からの通報でない場合においても、センター側非常通報装置は、ビル側非常通報装置からの通報と誤認識してしまうという問題があった。
又、通報の相手がビル側非常通報装置からの通報だったとしても、ブロードバンド回線
上に流れるデータをインターネット上から盗聴されるおそれがあり、ビル管理データやその他の重要データを盗まれるという問題があった。
この発明は、上記のような問題点を解消するためになされたもので、ブロードバンド回線を使用したセンター側非常通報装置への通報時に、センター側非常通報装置から電話回線を使用して、まず相手を確認し正規の通報か否かを識別、確認できるようにすることを目的とする。
【課題を解決するための手段】
【０００５】
この発明に係わる非常通報装置は、ビル側に設置されたビル側非常通報装置と監視センター側に設置されたセンター側非常通報装置とを、電話回線とブロードバンド回線との２回線で接続した非常通報装置において、上記センター側非常通報装置に、上記ブロードバンド回線を介して上記ビル側非常通報装置から上記センター側非常通報装置へ非常通報すると共に上記電話回線を介して上記ビル側非常通報装置からの通報が正規なものであるか否か識別、確認する制御手段を備えたものである。
【発明の効果】
【０００６】
この発明の非常通報装置によれば、ブロードバンド回線を使用したセンター側非常通報装置への通報時にセンター側非常通報装置から電話回線を使用し相手を確認するようにしたため、センター側非常通報装置はビル側非常通報装置からの通報であることを確実に識別、確認することができる。
又、このようにブロードバンド回線と電話回線との２重系を使用したので、データの改ざん、「なりすまし」及び盗聴等の不正行為を防ぎ、或いはデータの改ざん、「なりすまし」及び盗聴等の不正行為が行われ難い非常通報装置を提供でできる。
【発明を実施するための最良の形態】
【０００７】
以下、図面に基づいて、この発明の各実施の形態を説明する。
なお、各図間において、同一符号は同一あるいは相当部分を示す。
【０００８】
実施の形態１．
図１は、この発明の実施の形態１である非常通報装置のブロック図である。
図１において、警備会社、設備保守会社等の監視センター側に設置されたセンター側非常通報装置１とビル側に設置されたビル側非常通報装置９は、公衆電話回線７とＩＳＤＮ、ＡＤＳＬ、又は光ファイバーなどのブロードバンド回線８との２回線によって接続されている。
センター側非常通報装置１は、次の各部の機器装置で構成されている。すなわち、センター側非常通報装置１の制御手段は、公衆電話回線７に接続された網制御装置（Network Control Unit）５、ブロードバンド回線８に接続されたＬＡＮインターフェース６、ブロードバンド回線８からの非常通報を検出する通報検出器４、この通報検出部で検出された非常通報がビル側非常通報装置９からの正規な通報であるか否かを識別、確認する通報確認器３、及びこれらの通報検出器４、通報確認器３を制御する中央処理装置２などによって構成されている。
【０００９】
次に実施の形態１である非常通報装置の動作を説明する。
ビル側非常通報装置９は、ビル側のエレベーターやビル内設備の状態や異常を検出するとセンター側非常通報装置１にブロードバンド回線を介して非常通報を行う。
通報検出器４は、その通報を検出すると、検出した通報が正規の通報であるか確認するために、通報先確認器３によって公衆電話回線７経由でビル側非常通報装置９へ問い合わせその真偽を確認する。
ビル側非常通報装置９は、センター側非常通報装置１の通報先確認器３の問い合わせに答えブロードバンド回線８経由で通報を行ったことを知らせる。
もし、ビル側非常通報装置９がブロードバンド回線８を使用した通報を行ってない場合は、通報先確認器３の問合わせ時にその旨を通知する。
正規の通報であることが確認された場合は、例えば非常通常に対する通常の処置が実施される。又、正規の通報でなく例えば違う場所からの要求であることがセンター側で識別、確認された場合は、データ改ざん行為などの状況に応じ適宜の処置が執られる。
なお、上記のように、通報先の確認時に公衆回線を使用しセンター側から発信するので、ビル側に電話料金が賦課されることがなく、客側に通話料金が発生しない利点がある。
【００１０】
実施の形態２．
図２は、この発明の実施の形態２である非常通報装置のブロック図である。
なお、図２中、図１と同一部分又は相当部分については、同一符号を付し説明を省略する。
図２において、実施の形態２である非常通報装置のセンター側非常通報装置１には、通報データを暗号化する暗号化部、すなわち暗号化／復号化器１０が設けられている。
この暗号化／復号化器１０は、ビル側非常通報装置９から非常通報が行われる都度、電話回線経由で暗号鍵を相互に通知し合い、この暗号鍵を使用して上記ブロードバンド回線を経由するデータを暗号化する。又、図示しないがビル側非常通報装置９にも当然同様の暗号化／復号化器が設けられている。
すなわち、この実施の形態２では、実施の形態１の動作に加え、通報先確認器３でビル側非常通報装置９からの通報であることが確認できたら、公衆電話回線７を使用してビル側非常通報装置９とセンター側非常通報装置１の間でブロードバンド回線８に流れるデータを暗号化するための暗号化鍵をやり取り（通知）する。すなわち、ブロードバンド回線のデータを暗号化する場合、暗号鍵のやり取りを予め公衆回線で行う。
その暗号化鍵を使用して、ブロードバンド回線８に流れるデータは総て暗号化し、通報を行う。なお、データのほとんどは、ブロードバンド回線を使用して行うが、特に盗聴されては困るセキュリティ情報は公衆回線を使用する。
【００１１】
このように、電話回線で暗号鍵を通知し、その暗号鍵を使用してブロードバンド回線上に流れるデータを暗号化するので、データの改ざん、「なりすまし」及び盗聴等の不正行為を防ぐ効果を更に向上させることができる。
又、通信のたびに、暗号鍵のやり取りができるため、セキュリティー性を更に向上させることができる。
【図面の簡単な説明】
【００１２】
【図１】図１はこの発明の実施の形態１である非常通報装置のブロック図である。
【図２】図２はこの発明の実施の形態２である非常通報装置のブロック図である。
【符号の説明】
【００１３】
１  センター側非常通報装置            ２  中央処理装置
３  通報確認器                        ４  通報検出器
５  網制御装置                        ６  ＬＡＮインターフェース
７  公衆電話回線                      ８  ブロードバンド回線
９  ビル側非常通報装置                １０  暗号化／復号化器
【図１】
2007011958.tif 000003
【図２】
2007011958.tif 000004